(57)【特許請求の範囲】
【請求項１】
表示部に、予め特定の機能が割り付けられた複数の機能選択キーを備えた複数の機能設定画面を、各機能設定画面に備えた機能選択キーの選択操作に従って切替表示する機能設定処理部と、
前記機能設定処理部により表示された特定の機能設定画面に到達する迄に選択操作された機能選択キーの履歴をショートカットキーに割り付けるショートカット割付部と、
前記ショートカット割付部により割り付けられ、選択操作に従って対応する機能設定画面に遷移する複数のショートカットキーをプルダウンメニュー方式で表示するショートカット処理部と、
を備え、
前記ショートカット処理部は、前記ショートカット割付部により割り付けられた履歴に基づいて前記特定の機能設定画面を表示するショートカット機能と、前記特定の機能設定画面の設定を反映したプログラム機能の何れかを選択可能にショートカットキーの表示領域を区画して表示することを特徴とする画像処理装置の操作装置。
【請求項２】
前記ショートカット処理部は、所定の優先順位に基づいてショートカットキーを配列して表示する請求項１記載の画像処理装置の操作装置。
【請求項３】
前記ショートカット処理部は、各ショートカットキーの使用頻度をカウントし、使用頻度の高い順序にショートカットキーを配列して表示する請求項２記載の画像処理装置の操作装置。
【発明の詳細な説明】
【技術分野】
【０００１】
本発明は、画像処理装置の操作装置に関する。
【背景技術】
【０００２】
複写機、スキャナ等の画像処理装置に備えられた操作装置は、タッチパネルが押圧操作されると、その操作位置に対応するメニューキーが選択されたと認識する入力処理部を備えて構成されているが、近年、画像処理装置の高機能化に伴い表示部に非常に多くのメニューキーが配列表示され、所望のメニューの選択操作が非常に煩雑となっている。そのため、複数のメニューキーを機能単位分割し、各機能を設定するための複数のメニューキーを操作手順に従って上位から下位の表示階層に分割して表示する表示処理部を備え、複雑な機能の設定が容易に行なわれるように構成されている。
【０００３】
さらに、複写機等を使用するたびにそのような手順を踏んだ操作を繰り返すことの手間を解消すべく、操作装置に備えられる記憶部に、頻繁に選択するメニュー画面と所定のショートカットキーとを関連付けて記憶し、表示部に表示されたショートカットキーの押圧操作により記憶部に記憶されているメニュー画面を読み出して対応するメニュー画面が直ちに表示されるショートカット処理部を備えた操作装置が提案されている。
【特許文献１】特開２００２−３５４１７０号公報
【特許文献２】特開２００６−３０９４７８号公報
【発明の開示】
【発明が解決しようとする課題】
【０００４】
しかし、上述した従来の操作装置では、登録すべきメニューの増加に対応してショートカットキーが増加することとなり、面積の限られた表示部に多くのショートカットキーを表示することが困難なために、登録可能なメニューも制限されるという不都合があった。
【０００５】
そこで、ショートカットキー専用の表示階層を設けて多数のショートカットキーを表示することも考えられるが、この場合、当該専用の表示階層に遷移させるためのメニューキーの表示及びその操作が必要となり、操作回数が増すばかりか、複数のユーザにより個々に設定登録される可能性のある多数のショートカットキーがどのようなメニュー画面に対応しているのかの識別が煩雑となり、却って使用し辛くなるという問題もある。
【０００６】
同様の問題は画像処理装置に備えられた操作装置に限るものではなく、多数のメニューを選択操作する必要のある操作装置一般に共通の課題である。
【０００７】
本発明は、上述した従来の問題に鑑み、簡単な操作でショートカット処理を実現しながらも、省スペースで多数のショートカット処理が実現できる利便性の高い画像処理装置の操作装置を提供することを目的とする。
【課題を解決するための手段】
【０００８】
上述の目的を達成するため、本発明による画像処理装置の操作装置の第一の特徴構成は、特許請求の範囲の書類の請求項１に記載した通り、表示部に、予め特定の機能が割り付けられた複数の機能選択キーを備えた複数の機能設定画面を、各機能設定画面に備えた機能選択キーの選択操作に従って切替表示する機能設定処理部と、前記機能設定処理部により表示された特定の機能設定画面に到達する迄に選択操作された機能選択キーの履歴をショートカットキーに割り付けるショートカット割付部と、前記ショートカット割付部により割り付けられ、選択操作に従って対応する機能設定画面に遷移する複数のショートカットキーをプルダウンメニュー方式で表示するショートカット処理部と、を備え、前記ショートカット処理部は、前記ショートカット割付部により割り付けられた履歴に基づいて前記特定の機能設定画面を表示するショートカット機能と、前記特定の機能設定画面の設定を反映したプログラム機能の何れかを選択可能にショートカットキーの表示領域を区画して表示する点にある。
【０００９】
上述の構成によると、ショートカット処理部により割り付けられ、選択操作に従って対応する機能設定画面に遷移する複数のショートカットがプルダウンメニュー方式で表示されるため、省スペースで多数のショートカット処理が実現できる。そして、ショートカット割付部により割り付けられた履歴に基づいて特定の機能設定画面を表示するショートカット機能と、特定の機能設定画面の設定を反映したプログラム機能の何れかを選択可能にショートカットキーの表示領域が区画して表示されているので、ユーザは状況に応じてショートカット機能とプログラム機能を使い分けることができ、ユーザのキー操作の回数がさらに低減し、操作装置の操作性をさらに向上することができる。
【００１０】
同第二の特徴構成は、同請求項２に記載の通り、前記第一特徴構成に加え、前記ショートカット処理部は、所定の優先順位に基づいてショートカットキーを配列して表示する点にある。
【００１１】
上述の構成によると、ショートカットキーが所定の優先順位に基づいて表示されるので、ショートカットキーの登録数が増えたとしても、ブルダウンメニューの操作性を向上することができる。
【００１２】
同第三の特徴構成は、同請求項３に記載の通り、前記第二特徴構成に加え、前記ショートカット処理部は、各ショートカットキーの使用頻度をカウントし、使用頻度の高い順序にショートカットキーを配列して表示する点にある。
【００１３】
上述の構成によると、ユーザによる使用頻度の高い機能を優先的に表示できるので、ショートカットキーの登録数が増えたとしても、ブルダウンメニューの操作性を向上することができる。
【発明の効果】
【００１４】
以上説明した通り、本発明によれば、簡単な操作でショートカット処理を実現しながらも、省スペースで多数のショートカット処理が実現できる利便性の高い画像処理装置の操作装置を提供することができるようになった。
【発明を実施するための最良の形態】
【００１５】
以下、本発明による画像処理装置の操作装置について説明する。
【００１６】
図１に示すように、画像処理装置１は各種の複写メニューを設定する各種機能選択キーや設定された複写メニューで複写動作を起動するスタートキー等が配置された操作装置２と、原稿載置部３にセットされた一連の原稿を順次読込んで電子データに変換する画像読取部４と、画像読取部４によって電子データに変換された画像データに基づいて用紙上にトナー像を形成して出力する電子写真方式の画像形成部５と、それぞれ異なるサイズまたは種類の用紙が収容された複数の給紙カセット６（６ａ〜６ｄ）及び機械左側部の手差し給紙口（図示せず）及び全体制御部１００を備えて構成されている。
【００１７】
操作装置２は、図２に示すように、予め特定の機能が割り付けられた各種機能選択キーを備えた各種の機能設定画面が表示される液晶表示部２０と、液晶表示部２０の右側に配置され、コピー枚数等を設定する数値入力キー２１、スタートキー２２、ストップ／クリアキー２３、リセットキー２４等の複写動作の基本制御キー群と、原稿から読み取った画像を用紙に出力するコピーモード、ネットワークに接続されたコンピュータ等からの出力データを用紙に印字出力するプリンタモード、原稿情報を読込みネットワーク出力するスキャナモードの何れのモードで動作するのかを選択するモード選択キー及び選択されたモードをＬＥＤ（Ｌｉｇｈｔ  Ｅｍｉｔｔｉｎｇ  Ｄｉｏｄｅ）表示するモード選択キー２５と、液晶表示部２０の右方上部に設置される特殊モード設定キー２６を備えて構成される。
【００１８】
液晶表示部２０は、タッチパネルと、その奥側に配設された液晶表示を行うＬＣＤ（Ｌｉｑｕｉｄ  Ｃｒｙｓｔａｌ  Ｄｉｓｐｌａｙ）とで構成され、上部に画像処理装置１の状態や操作メッセージを表示するメッセージ表示領域２０１を備え、メッセージ表示領域２０１の下方に各種機能選択キー表示領域２０２を備えている。機能選択キー表示領域２０２には、用紙サイズ、コピー倍率、コピー濃度、配列等の基本的な複写メニューを設定するための「基本」タブキー２０３と、頻繁に使用するメニューをユーザ側で個別に設定登録可能な「ユーザ機能」タブキー２０４と、当該画像処理装置１に準備されている複数の応用機能を選択するための複数のメニューキーが表示される「機能リスト」タブキー２０５と、よく使用する機能選択キー表示領域に表示している各モード及び機能の組み合わせをひとつのプログラムとして登録する「プログラム」タブキー２０６と、選択操作に従って対応する機能設定画面に遷移するショートカットキーをプルダウンメニュー方式で表示するショートカットメニューキー３００と、を備えて構成されている。
【００１９】
画像読取部４は、原稿から画像データを読み取るものであり、セットされた原稿を自動給送する自動原稿給送部、ＣＣＤ（Ｃｈａｒｇｅ  Ｃｏｕｐｌｅｄ  Ｄｅｖｉｃｅ）ラインイメージセンサからなる撮像部及び画像処理部を有し、撮像部が原稿面を相対的に操作するように原稿を自動給送して当該原稿をライン単位で画像信号に変換して取り込み、この画像信号に所定の信号処理（レベル補正、γ補正、Ａ／Ｄ変換等）を施して、順次全体制御部１００に出力する。
【００２０】
画像形成部５は、画像読取部４で読み取られた画像データを用紙に記録するものであり、例えばレーザプリンタからなり、画像データで変調されたレーザ光を感光体に照射して感光体表面に当該画像データからなる画像の静電潜像を形成するとともに、この潜像にトナーを静電的に付着して顕在化し、この顕像を用紙に転写して画像を形成する。
【００２１】
全体制御部１００は、図３に示すように、マイクロコンピュータからなり、上記画像読取部４、画像形成部５、操作装置２、液晶表示部２０等の動作を制御して画像処理装置１の画像処理機能を制御するものである。なお、全体制御部１００は、画像処理装置１の各種機能のプログラム等が記録されたＲＯＭ（Ｒｅａｄ  Ｏｎｌｙ  Ｍｅｍｏｒｙ）１０１と、そのプログラムに従って所定の演算処理を行うためのＲＡＭ（Ｒａｎｄｏｍ  Ａｃｃｅｓｓ  Ｍｅｍｏｒｙ）１０２とを備えている。
【００２２】
さらに、全体制御部１００は、ＲＯＭ１０１及びＲＡＭ１０２の他に、機能設定処理部１０３と、ショートカット割付部１０４と、ショートカット処理部１０５と、表示制御部１０６と、ショートカットキー用メモリ１０７、機能選択部１０８と、機能実行部１０９と、名称・アイコン割付部１１０とを備えている。
【００２３】
機能設定処理部１０３は、液晶表示部２０に、予め特定の機能が割り付けられた複数の機能選択キーを備えた複数の機能設定画面を、各機能設定画面に備えた機能選択キーの選択操作に従って切替表示する。
【００２４】
ショートカット割付部１０４は、機能設定処理部１０３により表示された特定の機能設定画面に到達する迄に選択操作された機能選択キーの履歴をショートカットキーに割り付ける。
【００２５】
ショートカット処理部１０５は、ショートカット割付部１０４により割り付けられ、選択操作に従って対応する機能設定画面に遷移する複数のショートカットキーをプルダウンメニュー方式で表示する。
【００２６】
表示制御部１０６は、ユーザによる上記各種機能キー等の押圧操作を受けて、各機能設定画面等を液晶表示部２０に表示させるものである。
【００２７】
ショートカットキー用メモリ１０７は、割り付けられたショートカットキーと設定された機能等とを対応させて記憶するものである。液晶表示部２０の表示画面には、２次元座標系が設定されており、ショートカットキー用メモリ１０７は、上記各機能設定画面において、ショートカットキーが占有する座標領域のデータと設定された機能等とを対応付けて記憶する。
【００２８】
機能選択部１０８は、ショートカット処理部１０５によりプルダウンメニュー方式で表示されたショートカットキーが押圧操作されたときに、このショートカットキーの座標領域に基づいて、ショートカットキー用メモリ１０７に記憶されているデータから、対応する機能を読み出すものである。
【００２９】
機能実行部１０９は、上記機能選択部１０８により読み出された機能等で、画像読取部４及び画像形成部５に複写動作を実行させるものである。
【００３０】
名称・アイコン割付部１１０は、名称入力画面やアイコン選択画面によって選択された名称やアイコンを対応するショートカットキーに割り付けるものである。また、文字入力画面のキーボードから入力された名称を対応するショートカットキーに割り付けるものである。
【００３１】
以上により、液晶表示部２０に表示された各種機能設定キーや前記基本制御キー郡等をユーザが操作することにより、当該画像処理装置１が所望の条件で複写等各動作を行うように構成されている。
【００３２】
詳述すると、図４（ａ）に示すように、画像処理装置１の電源ＯＮ直後の液晶表示部２０には、基本画面５０１が表示され、この基本画面５０１の下部には、当該基本画面５０１を示す「基本」タブキー２０３の他に、「ユーザ機能」タブキー２０４、「機能リスト」タブキー２０５、「プログラム」タブキー２０６の各タブキーが表示されている。「ユーザ機能」タブキー２０４を押圧操作すると図４（ｂ）に示す機能設定画面５０２が表示され、「機能リスト」タブキー２０５を押圧操作すると図４（ｃ）に示す機能設定画面５０３が表示される。また、「プログラム」タブキー２０６を押圧操作すると、画像処理装置１を作動させる一連の機能を組み合わせて登録するためのプログラム設定画面（図示せず）が表示される。
【００３３】
基本画面５０１には、「用紙選択」、「縮小／拡大」、「コピー濃度」、「配列／仕分け」の４個の機能に対応する各機能選択キーが表示される。このうち、「用紙選択」機能に対応する機能選択キーは、「Ａ４普通紙」のキー５１１から「手差し普通紙」のキー５１６までの６個の用紙選択キー５１１〜５１６が表示されている。なお、この基本画面５０１は、「用紙選択」機能で「Ａ４普通紙」が設定され、「縮小／拡大」機能で「１００％」が設定され、「コピー濃度」機能で「自動濃度」が設定され、「配列／仕分け」機能で「配列しない」が設定された状態を示している。また、この基本画面５０１において、「縮小／拡大」キー５１７、「コピー濃度」キー５１８、「配列／仕分け」キー５１９を押圧操作すると、各機能の詳細機能を設定するための画面が表示される。
【００３４】
機能設定画面５０２には、図４（ｂ）に示すように、各機能選択キーの「画面／分割」キー５２４、「原稿の画質」キー５２５、「配列／仕分け」キー５２６、「とじしろ／センター移動」キー５２７、「枠消し」キー５２８、「集約」キー５２９、「ページ付け」キー５３０、「小冊子」キー５３１、「表紙付け」キー５３２、「原稿サイズ選択」キー５３３が、各機能を表すアイコン５３４〜５４３と共に表示されている。なお、これら各機能選択キー５２４〜５３３を押圧操作すると、詳細機能を設定するための機能設定画面が表示される。
【００３５】
機能設定画面５０３には、図４（ｃ）に示すように、画像処理装置１の全機能の２２種のうち１６種に対応する「用紙選択」，「コピー濃度」，「原稿の画質」等の各機能選択キーが表示されている。これらの各機能選択キーを押圧操作すると、各機能に対応する詳細機能を設定するための機能設定画面が表示される。なお、表示部分の画面の大きさによる都合上、２つの画面に分けて表示されるようになっており、「次へ」キー５４４を押圧操作すると残りの８種の各機能選択キーが表示される（図示せず）。
【００３６】
以下、機能設定画面における各種機能の選択操作について詳述する。
【００３７】
例えば、図４（ａ）の基本画面５０１において、機能選択キーである「縮小／拡大」キー５１７を押圧操作すると、図５（ａ）の画面５０５に示す機能設定画面が表示され、「５０％」キー５２０を押圧操作すると、図５（ｂ）に示すように選択倍率表示部５２１の表示が１００％から５０％に切り替わり、「閉じる」キー５２２を押圧操作すると、図５（ｃ）に示す基本画面６０１に戻り、選択倍率表示部５２３に５０％と表示されて、複写倍率の選択が完了する。この状態で図２に示した、スタートキー２２を押圧すれば、選択された複写倍率で複写が行われる。なお、「５０％」キー５２０以外の倍率選択キーが押圧操作された場合も同様に、選択された複写倍率で複写が行われる。
【００３８】
図４（ｃ）に示すように、「機能リスト」タブキー２０５が押圧操作された場合に、例えば、「集約」キー５４５が押圧操作されると、図６（ａ）に示すように、デフォルト設定としての「設定なし」キー５４６と、２枚の原稿を１枚に縮小コピーする「２  ｉｎ  １」キー５４７と、４枚の原稿を１枚に縮小コピーする「４  ｉｎ  １」キー５４８の３種類のキーが選択可能な機能設定画面５０６に遷移する。ここでは、現在設定されているモード（「設定なし」キー５４６）がネガ／ポジ反転して表示されており、「２  ｉｎ  １」キー５４７が選択されると、図６（ｂ）に示すように、その出力形態を詳細に設定する機能設定画面５０７に遷移し、レイアウト、ページ区切り、原稿セット向きのそれぞれが選択操作可能になる。ユーザの意図に沿った設定が完了したところで「閉じる」キー５２２が押圧操作されると、図４（ａ）の画面５０１に戻る。この状態でスタートキー２２が押圧操作されると、前記機能選択キーで選択された条件に従って複写が行われる。なお、「４  ｉｎ  １」キーが押圧操作されると、上述と同様に、図６（ｃ）に示す、詳細な出力形態が設定できる機能設定画面５０８に遷移する。
【００３９】
なお、「集約」キー５４５以外のキーが押圧操作されたときにも、上記と同様に、各機能における機能設定画面が表示され、詳細機能の設定が可能となる。
【００４０】
このように、操作装置２は、各機能選択キーに対する操作に伴って液晶表示部２０に上位から下位へ階層的にメニュー画面が更新表示され、複雑な機能選択キーの設定操作が容易に行われるように構成されているが、頻繁に選択されるメニュー画面であっても上位階層から下位階層に順番に機能選択キーを選択操作しなければならない。
【００４１】
そこで、操作装置２は、上記のような各機能選択キーの複数回にわたる押圧操作の回数を低減させるべく、各詳細機能等の設定内容を所定のショートカットキーに割付可能に構成されている。
【００４２】
具体的には、図４（ａ）に示すように、機能選択画面５０１の各右側領域には、詳細機能等で複写動作を行わせる場合に、各機能選択キーの押圧操作の回数を低減させるべく設けられたショートカットキーをプルダウンメニュー方式で表示するショートカットメニューキー３００が設けられている。機能選択画面５０１のショートカットメニューキー３００を押圧操作すると、図７に示すように、３種類のショートカットキー３０１，３０２，３０３がプルダウンメニュー方式で表示される。
【００４３】
なお、各ショートカットキーに機能が割り付けられるまでは、ショートカットキー３０１には「ショートカット１」，ショートカットキー３０２には「ショートカット２」，ショートカットキー３０３「ショートカット３」の文字が表示され、ショートカットキーに機能が割り付けられると、上記文字に代えて、割り付けられた機能名等が表示される。
【００４４】
図８（ａ）に示すように、ショートカットキー３０１には「用紙選択」の機能、ショートカットキー３０２には「縮小／拡大」の機能がすでに割り付けられているとともに、ショートカットキー３０３には機能がまだ割り付けられていないことを示している。
【００４５】
なお、スクロールキー３０６を押圧操作することで、ショートカットキーがスクロールしショートカットキー３０４，３０５等が降順に表示される。なお、スクロールバー３０７は表示中のショートカットキーの位置を表示するとともに、ドラッグすることによりショートカットメニューをスクロールすることができる。
【００４６】
以上に加えて、例えば、図５（ａ），（ｂ）の機能設定画面５０４，５０５、図６（ａ），（ｂ），（ｃ）の機能設定画面５０６，５０７，５０８等の各機能設定画面には、ショートカットキー３０１，３０２，３０３等に機能を割り付けるためのショートカットの「登録」キー５５０が備えられている。
【００４７】
ここで、「登録」キー５５０を用いて上記ショートカットキー３０３に、上述した「集約」機能の割付処理について説明する。
【００４８】
図６（ｂ）に示すように、「集約」の機能設定画面において、所望の設定内容に設定された後、「登録」キー５５０が押圧操作されると、ショートカット割付部１０４により、機能がまだ割り付けられていないショートカットキー３０３に「集約」の機能が割り付けられる。
【００４９】
詳述すると、「登録」キー５５０の押圧操作の際、２枚の原稿を１枚に縮小コピーする「２  ｉｎ  １」、レイアウト「パターン１」、ページ区切り「線なし」、原稿セット向き「奥」の夫々が選択されているので、ショートカットキー３０３には一連の設定内容を維持したまま、ショートカット登録情報としてショートカットキー用メモリ１０７に登録される。
【００５０】
ショートカットの登録情報は、図９（ａ），（ｂ）に示すように、ショートカット登録情報番号と夫々の機能を識別するためのショートカット名称、そのショートカットキーによる機能の使用回数を記憶するためのショートカット使用回数、及び、一連の機能の設定内容をあらわす機能設定情報からなる。
【００５１】
例えば、図９（ｃ）に示すように、ショートカット登録情報番号「３」としては、ショートカット名称として「集約」、ショートカット使用回数として「１」、機能設定情報＃１として「２  ｉｎ  １」、機能設定情報＃２として「パターン１」、機能設定情報＃３として「線なし」、機能設定情報＃４として「奥」が夫々記憶される。
【００５２】
ショートカットキー３０３を使用すると実行した機能の実行回数を１つ増やし、ショートカットキー用メモリ１０７に保存されている全てのショートカット登録情報について、実行回数の多い順から降順に配列し、その配列した順にショートカットの登録情報の内容を入れ替えて、ショートカットキー用メモリ１０７の内容を更新し、処理を終了する。
【００５３】
なお、ショートカット処理部１０５は、ショートカット割付部１０４により割り付けられた履歴に基づいて前記特定の機能設定画面を表示するショートカット機能と、前記特定の機能設定画面の設定を反映したプログラム機能の何れかを選択可能にショートカットキー３０３の表示領域を中央部で左右に区画して表示しており、ショートカットキー３０３ａを押圧操作すると機能設定画面５０７の設定を反映したプログラム機能を表示し、ショートカットキー３０３ｂを押圧操作すると「集約」の機能のデフォルト設定である「指定なし」が選択された状態の機能設定画面５０６を表示する。
【００５４】
図８（ｃ）に示すように、ショートカットメニューの機能割付済みのショートカットキー３０３ａを押圧操作すると、図４（ｃ）に示す機能設定画面５０３、図６（ａ）に示す機能設定画面５０６の表示を飛び越えて、図６（ｂ）に示す、機能設定画面５０７が表示されることとなり、スタートボタン２２の押圧操作により、上記の設定内容で複写動作が行われる。なお、図６（ｂ）の機能設定画面５０７等の「元に戻す」キー５４９は、各詳細機能の設定内容をデフォルト設定として予め設定されている初期値に戻すためのキーである。
【００５５】
また、ショートカットキー３０３ｂを押圧操作すると、図４（ｃ）に示す画面５０３を飛び越えて、「集約」の機能設定画面５０６が表示される。
【００５６】
このように、ショートカットキーを区画して押圧操作する位置により各機能設定後の機能設定画面を表示するプログラム機能と、機能設定前の機能設定画面を表示するショートカット機能をユーザが選択でき、また、各機能設定画面で、当該画面が表示されるまでに選択・設定された機能及び当該画面で設定された機能をショートカットキーに割り付けることができるので、機能を割り付けるための画面が所定の項目の下層にのみ設けられている場合に比べて、割付作業が簡単となり画像処理装置１の操作性をさらに向上することができる。
【００５７】
次に、画像処理装置１のショートカットキーへの機能の割付処理を図１０に示すフローチャートに基づいて説明する。
【００５８】
まず、液晶表示部２０に表示された基本画面５０１において、「ユーザ機能」タブキー２０４、「機能リスト」タブキー２０５、「縮小／拡大」キー５１７、「コピー濃度」キー５１８等の何れかのキーが押圧操作される（ＳＡ１でＹ）と、選択された項目に対応する機能設定画面に切換えられる（ＳＡ２）。例えば、上記基本画面５０１において、「縮小／拡大」キー５１７が押圧操作されると、機能設定画面５０４が表示される。そして、表示された機能設定画面において、キーが押圧操作され機能が設定されると（ＳＡ４でＹ）、その機能の機能設定画面が表示され（ＳＡ５）、処理を終了する。
【００５９】
各機能設定画面において、ユーザにより各種機能について所望の内容に設定され、ショートカットキー「登録」キー５５０が押圧操作される（ＳＡ６でＹ）と、機能が未登録のショートカットキーに上記機能等が割り付けられる（ＳＡ７）。なお、ＳＡ４において、基本画面で項目キーが何も押圧操作されないとき（ＳＡ４でＮ）には、ＳＡ５の処理を飛ばしてＳＡ６の処理に移り、処理を終了する。
【００６０】
次に、上述の割付処理が行われたショートカットキーの使用について図１０（ｂ）に示すフローチャートに基づいて説明する。
【００６１】
まず、液晶表示部２０に表示された基本画面５０１において（ＳＢ１）、ショートカットメニューキー３００が押圧操作される（ＳＢ２）と、ショートカットキーがプルダウンメニュー方式で表示される（ＳＢ３）。使用したい機能のショートカットキーのプログラム機能部分を押圧操作する（ＳＢ４でＹ）と、選択された項目に対応する機能設定画面に切換えられる。例えば、上記基本画面５０１において、ショートカットキー３０３ａが押圧操作されると、機能設定画面５０７が表示される。つまり機能設定後の機能選択画面が表示される（ＳＢ５）。なお、ショートカット機能のショートカットキー３０３ｂを押圧操作すると（ＳＢ４でＮ）、デフォルト設定である機能設定前の機能選択画面が表示され（ＳＢ６）、処理を終了する。
【００６２】
次に、上述の機能が割り付けられたショートカットキーが使用されると、プルダウンメニュー方式で表示されるショートカットキーを実行回数の多い順から降順に配列することについて、図１０（ｃ）に示すフローチャートに基づいて説明する。
【００６３】
上述のように、ショートカットキー３０３ａまたは３０３ｂを使用する（ＡＣ１）と、実行した機能の実行回数を１つ増やし（ＳＣ２）、ショートカットキー用メモリ１０７に保存されている全てのショートカット登録情報について、実行回数の多い順から降順に配列し、その配列した順にショートカットの登録情報の内容を入れ替えて、ショートカットキー用メモリ１０７の内容を更新し（ＳＣ３）、この処理を終了する。
【００６４】
上述の構成によると、従来のように、機能等を割り付ける機能がどの項目に属しているのかを周知しておくというようなことが不要となり、装置の操作マニュアル等を参照するなどの面倒な作業も生じなくなる。
【００６５】
さらに、詳細機能までショートカットキーに割り付けられるように構成したから、詳細機能については逐次設定するように構成された従来の場合に比べて、詳細機能の設定内容までほとんどいつも決まっているというような場合に、詳細機能の設定作業が必要なくなり、画像処理装置に詳細機能を実行させる際の手間を省くことができる。
【００６６】
また、各項目表示画面のショートカットキーに、他の項目に属する機能でも割り付けることができるように構成することで、例えば同時に使う複数の機能の各ショートカットキーを１つの画面に集めて表示させたり、ある項目表示画面のショートカットキーが全て登録されたときには、他の項目表示画面のショートカットキーに登録したりすることが可能となり、操作性を向上することができる。
【００６７】
上述の実施形態では、機能をショートカットに割り付ける際、機能が割り付けられていないショートカットキーに自動で割り付けられる構成について説明したが、これに限定されるものではなく、ユーザが任意のショートカットキーに任意の機能を割付可能にできる構成であってもよい。
【００６８】
上述の実施形態では、各ショートカットキーの下に詳細機能の設定内容が表示されるように構成されているが、例えば、「集約」の詳細機能「２  ｉｎ  １」、「パターン１」，「線なし」、「奥」の設定内容がショートカットキーに割り付けられたときに、ショートカットキー上に「２−１−な−奥」のように各名称の頭文字をとって、詳細機能の設定内容をショートカットキーに簡略化して表示するように構成してもよい。
【００６９】
また、ショートカットキーに液晶表示部２０に表示された文字入力画面のキーボードから自由な文字を入力できるようすることで、より一層ユーザニーズに合致した名称をショートカットキーに表示でき、ショートカットキー間の区別をより一層容易化することができ、操作性がより一層向上する。
【００７０】
また、ショートカットキーに、上記詳細機能の設定内容に加えて、ユーザをも登録可能として、ユーザ名やイニシャル、あるいはユーザに対応するシンボルマークをショートカットキー上に表示できるように構成してもよい。
【００７１】
上述の実施形態では、ショートカット登録情報を毎回配列する場合について説明したが、これに限られず複数回、例えば３回ショートカットキーの使用をするごとに使用回数を判断して配列する構成であってもよい。これによりショートカットメニューキーを使用するたびにプルダウンメニュー方式で表示される各機能のショートカットキーの順番が毎回変わるということがなくなり操作性は安定する。
【００７２】
なお、ショートカットキー登録情報の実行回数を所定の期間ごとにクリアすることで、ショートカットの登録内容を使用頻度順に並び替えることができ、この場合には使用頻度順に機能が登録されたショートカットキーを表示させることができる。
【００７３】
ショートカットの登録内容は実行回数に応じて並べ替えているので、よく使用される機能が登録されたショートカットキーを早期に表示選択させるようにすることができ、その結果、ユーザがショートカットキーから登録された機能を選択する際の手前を軽減することができショートカットキー機能の使いが手を大幅に向上することができる。
【００７４】
また、動作プログラムの表示順序は、実行回数の順ではなく、所定の順序、例えば登録順位表示し、あるいは登録逆順に表示してもよく、また機能ブロックごと等に分けて表示してもよい。
【００７５】
以上のように、複数のショートカットキーを設定し、そのショートカットキーに他の項目に属する機能を割り付けることができ、しかも、そのショートカットキーに割り付けられた機能に対応する名称やアイコンをそのショートカットキーに表示できるように構成したので、ユーザは、ショートカットキーに割り付けられた機能を実行する場合、操作マニュアル等を参照することなく、ショートカットキーの表示に従って所望の機能を選択でき、且つ、選択した機能を設定する操作をすることなく、ショートカットキーの押圧操作のみで複写作業を開始させることが可能になる。その結果、操作装置２の操作が極めて容易になり、画像処理装置１の操作性を向上することができる。
【００７６】
上述の基本画面５０１は、図示しない初期設定画面によって、「用紙選択」の機能を除く他の３種の機能を機能リストの中から任意に選択して表示することができる。また、上述の機能設定画面５０２は、図示しない初期設定画面によって、機能リストのうちで基本画面５０１に表示されない１０種の機能を選択して表示でき、すなわち、最も使用頻度が高い「用紙選択」の機能を基本画面５０１に表示し、「用紙選択」の機能の次に使用頻度が高いと思われる機能を基本画面５０１と機能設定画面５０２に優先的に割り付けるようにして、ユーザの使用勝手を改善している。
【００７７】
上述の実施形態では、ショートカットキーの使用に際し、ショートカット機能とプログラム機能の区別をすることなく、ショートカットキーによる機能の使用回数を記憶したが、これに限られず、ショートカット機能とプログラム機能でショートカットキーの使用を区別し、例えばプログラム機能でショートカットキーを使用したときは優先的にショートカットキーを配列する構成であってもよい。
【００７８】
上述の実施形態では、プルダウンメニュー方式で表示されるショートカットキーは表示スペースの都合により３種である場合について説明したが、これに限定するものではなく、適宜変更可能なものである。
【００７９】
上述した実施形態での各種キーの配列、名称、形状、機能等は一例に過ぎず、これに限定するものではなく、適宜変更可能なものである。
【００８０】
その他、本発明の特許請求の範囲内で種々の設計変更が可能であることはいうまでもない。上述した各実施形態を、本発明による作用効果が奏される範囲で適宜組み合わせることも可能である。
【００８１】
上述の実施形態は、何れも本発明の一例に過ぎず、本発明による作用効果が奏される範囲でその具体的構成を適宜変更可能なことは言うまでも無い。
【図面の簡単な説明】
【００８２】
【図１】本発明による操作装置を備えた画像処理装置の外観図。
【図２】操作部の外観図。
【図３】画像処理装置の制御部のブロック図。
【図４】（ａ）は「基本」画面が表示される液晶表示部の説明図、（ｂ）は「ユーザ機能」画面が表示される液晶表示部の説明図、（ｃ）は「機能リスト」画面が表示される液晶表示部の説明図。
【図５】（ａ）は「縮小／拡大」機能の説明図、（ｂ）は「縮小／拡大」機能で倍率「５０％」を選択したときの説明図、（ｃ）は「基本」画面が表示される液晶表示部の外観図。
【図６】（ａ）は「集約」機能のデフォルト設定の画面の説明図、（ｂ）は「集約」機能で「２  ｉｎ  １」を選択したときの画面の説明図、（ｃ）は「集約」機能で「４  ｉｎ  １」を選択したときの画面の説明図。
【図７】「基本」画面でショートカットキーがプルダウンメニュー方式で表示されることの説明図。
【図８】（ａ）はプルダウンメニュー方式で表示されるショートカットキーの説明図、（ｂ）はショートカットメニューキーをスクロールする説明図、（ｃ）は機能が登録されたショートカットキーの説明図。
【図９】（ａ）はショートカット登録情報番号の説明図、（ｂ）はショートカット登録情報に登録される情報の説明図、（ｃ）は「集約」機能がショートカットに登録される場合のショートカット登録情報の説明図。
【図１０】（ａ）はショートカット機能割付処理のフローチャート、（ｂ）は機能が割り付けられたショートカットキーの使用のフローチャート、（ｃ）はショートカットキー並び替えのフローチャート。
【符号の説明】
【００８３】
１：画像処理装置
２：操作装置
３：原稿載置部
４：画像読取部
５：画像形成部
６：給紙カセット
２０：液晶表示部
１００：全体制御部
１０４：ショートカット割付部
１０５：ショートカット処理部
２０３：「基本」タブキー
２０４：「ユーザ機能」タブキー
２０５：「機能リスト」タブキー
２０６：「プログラム」タブキー
３００：ショートカットメニューキー
５０１：基本画面
５０２：機能設定画面
５１７：「縮小／拡大」キー
５１８：「コピー濃度」キー
５１９：「配列／仕分け」キー
５４５：「集約」キー
５４６：「設定なし」キー
５４７：「２  ｉｎ  １」キー
５５０：「登録」キー
６０１：基本画面
【図１】
0004994184.tif 000002
【図２】
0004994184.tif 000003
【図３】
0004994184.tif 000004
【図４】
0004994184.tif 000005
【図５】
0004994184.tif 000006
【図６】
0004994184.tif 000007
【図７】
0004994184.tif 000008
【図８】
0004994184.tif 000009
【図９】
0004994184.tif 000010
【図１０】
0004994184.tif 000011